(57)【要約】【課題】医療従事者によって手指衛生が行われたときの消毒液の吐出の程度をより正確に把握することができるようにする。【解決手段】消毒用ボトル１０に対して着脱可能に設けられる吐出操作検出装置１００に対して、ノズルヘッド１０ｄとキャップ１０ｂとの距離を検出する距離検出センサ１０２を設け、スイッチ１０１により吐出操作が行われたことが検出された場合に、距離検出センサ１０２により検出された距離に対応する距離情報を管理装置に送信し、吐出操作検出装置１００より送信された距離情報に基づいて、消毒液の吐出の程度を示す吐出程度情報を特定してデータベースに記録することにより、単にノズルヘッドの押圧値が押圧設定値に達したか否かを見ていただけの従来技術に比べ、医療従事者によって手指衛生が行われたときの消毒液の吐出の程度をより正確に把握することができるようにする。【選択図】図２
2020080910.tif 000002
【特許請求の範囲】
【請求項１】
ノズルヘッドの押下に伴うポンプ機能により消毒液を吐出するようになされた消毒用容器に対して着脱可能に設けられ、上記消毒用容器に対する吐出操作が行われたことを検出して操作実行情報を送信する吐出操作検出装置であって、
上記ノズルヘッドと上記消毒用容器の本体またはキャップとの距離を検出する距離検出センサと、
上記吐出操作が行われたことが検出された場合に、上記操作実行情報および上記距離検出センサにより検出された距離に対応する距離情報を送信する情報送信部とを備えたことを特徴とする吐出操作検出装置。
【請求項２】
上記情報送信部は、上記吐出操作が行われていないときにおける上記ノズルヘッドと上記本体またはキャップとの初期距離と、上記距離検出センサにより検出された距離との差分の最大値を算出し、当該最大値を上記ノズルヘッドの押下量を表す上記距離情報として送信することを特徴とする請求項１に記載の吐出操作検出装置。
【請求項３】
請求項１または２に記載の吐出操作検出装置と、
上記吐出操作検出装置の情報送信部により送信された上記操作実行情報および上記距離情報を用いて医療従事者による手指衛生の実行状況に関する管理を行う管理装置とを備え、
上記管理装置は、
上記操作実行情報および上記距離情報を取得する送信情報取得部と、
上記送信情報取得部により取得された上記距離情報に基づいて、消毒液の吐出の程度を示す吐出程度情報を特定し、当該吐出程度情報をデータベースに記録する情報記録部とを備えたことを特徴とする手指衛生管理システム。
【請求項４】
上記管理装置は、
上記距離情報と上記消毒液の吐出量との相関関係を示した相関情報を取得する相関情報取得部を更に備え、
上記情報記録部は、上記送信情報取得部により取得された上記距離情報および上記相関情報取得部により取得された上記相関情報に基づいて、上記距離情報に対応する上記消毒液の吐出量を特定し、上記吐出程度情報として上記消毒液の吐出量情報を上記データベースに記録することを特徴とする請求項３に記載の手指衛生管理システム。
【発明の詳細な説明】
【技術分野】
【０００１】
本発明は、吐出操作検出装置および手指衛生管理システムに関し、特に、消毒液を吐出する消毒用容器に対する吐出操作が行われたことを検出して操作実行情報を送信する吐出操作検出装置、および医療従事者による手指衛生の実行状況に関する管理を行う手指衛生管理システムに用いて好適なものである。
【背景技術】
【０００２】
ＷＨＯは医療関連感染の中で、医療従事者の手指が媒体となって病原体の感染伝播が発生する５段階について警鐘を鳴らし、ガイドラインを通じて、石鹸と流水による手洗いや、アルコール消毒薬による手指消毒といった手指衛生の励行を推奨している。しかし、医療従事者の手指衛生実施率が５０％にすら満たない医療機関も多く、その遵守率（コンプライアンス）は高くない。
【０００３】
そのため、医療従事者が必要なタイミングで手指衛生を実行しているかどうかの実態をセンシングし、その結果を現場にフィードバックすることにより、手指衛生の遵守率向上に努めることが求められている。このような背景のもと、従来、消毒液を吐出する消毒用ボトルに対する吐出操作が行われたことを検出して所定の情報を送信することにより、当該情報に基づいて医療従事者による消毒実績を管理するシステムが提案されている（例えば、特許文献１，２参照）。
【０００４】
特許文献１に記載の消毒実績把握システムでは、消毒用ポンプ付き容器（消毒用ボトル）が、吐出操作を検知する吐出操作検知手段と、吐出操作の検知に基づいて、消毒用ボトルの周囲にいる被管理者（医療従事者）が携帯しているネームプレート（通信部、制御マイコン、記憶媒体を内蔵する）に対して吐出完了信号を送信する吐出完了信号送信手段とを備える。また、ネームプレートが、被管理者による消毒実績の情報が記憶される記憶媒体と、受信した吐出完了信号に基づいて消毒実績の情報を更新する更新手段とを備える。
【０００５】
特許文献２に記載の院内手洗い管理システムでは、押圧することによりポンプ機構により吐出ノズルから消毒用アルコールを吐出させるノズルヘッドを備えた消毒用アルコールボトル（消毒用ボトル）に対し、ノズルヘッドに対する押圧力を検知する圧力センサと、圧力センサが検知した押圧値を自身の通信機ＩＤと共に送信する通信機とを含む手洗い管理装置を装着し、当該手洗い管理装置を装着した消毒用ボトルを院内の所定の場所に配置するとともに、手洗い管理装置付き消毒用ボトルの通信機と通信可能な範囲に中継機を設置する。また、個人ＩＤを一定の時間間隔で送信する個人ＩＤ送信機を医療従事者に携帯させる。中継機は、個人ＩＤと通信機ＩＤと押圧値とを手洗い管理装置の通信機より受信して、これらの情報を中継機固有の中継機ＩＤと共に院内サーバに送信する。院内サーバは、中継機から受信した個人ＩＤおよび押圧値と、院内サーバが有する個人情報および予め定めておいた押圧設定値とをそれぞれ比較し、個人別にノズルヘッドがプッシュされていない、プッシュされたが不十分、または十分にプッシュされたことを判断する。また、中継機ＩＤと院内サーバが内部に持っている中継機の位置情報とを比較して、医療従事者の場所を特定する。そして、院内サーバは、それらの結果を記録装置に記録させる。
【先行技術文献】
【特許文献】
【０００６】
【特許文献１】特開２００７−６１１５７号公報
【特許文献２】特許第６２５９９４０公報
【発明の概要】
【発明が解決しようとする課題】
【０００７】
上記特許文献２に記載の技術によれば、医療従事者によって手指衛生が行われたか否かのみならず、ノズルヘッドのプッシュが十分か否か（つまり、消毒用アルコールの吐出量が十分か否か）まで管理することが可能である。しかしながら、圧力センサにより検知された押圧値が押圧設定値に達しているか否かを見ているだけなので、把握できるのはノズルヘッドのプッシュが十分であったか否かという点のみであり、どの程度不十分であったのかについては把握することができないという問題があった。
【０００８】
本発明は、このような問題を解決するために成されたものであり、医療従事者によって手指衛生が行われたときの消毒液の吐出の程度をより正確に把握することができるようにすることを目的とする。
【課題を解決するための手段】
【０００９】
上記した課題を解決するために、本発明では、ノズルヘッドの押下に伴うポンプ機能により消毒液を吐出するようになされた消毒用容器に対して着脱可能に設けられる吐出操作検出装置に対して、消毒用容器のノズルヘッドと本体またはキャップとの距離を検出する距離検出センサを設け、吐出操作が行われたことが検出された場合に、操作実行情報および距離検出センサにより検出された距離に対応する距離情報を送信するようにしている。
【００１０】
また、本発明による手指衛生管理システムにおける管理装置では、吐出操作検出装置より送信された操作実行情報および距離情報を用いて医療従事者による手指衛生の実行状況に関する管理を行う。その際、管理装置は、距離情報に基づいて、消毒液の吐出の程度を示す吐出程度情報を特定し、当該吐出程度情報をデータベースに記録するようにしている。
【発明の効果】
【００１１】
上記のように構成した本発明によれば、医療従事者がノズルヘッドを押下して消毒液を吐出すると、その押下量に応じて変化する消毒用容器のノズルヘッドと本体またはキャップとの距離が検出され、検出された距離に対応する距離情報が吐出操作検出装置から送信される。そして、送信された距離情報に基づいて管理装置において消毒液の吐出の程度を示す吐出程度情報が特定され、データベースに記録して管理されることとなる。これにより、単にノズルヘッドの押圧値が押圧設定値に達したか否かを見ていただけの従来技術に比べ、医療従事者によって手指衛生が行われたときの消毒液の吐出の程度をより正確に把握することができるようになる。
【図面の簡単な説明】
【００１２】
【図１】本実施形態による手指衛生管理システムが備える各装置およびそれらの設置場所の一例を示す図である。
【図２】本実施形態による吐出操作検出装置の一構成例を、消毒用ボトルの一部と共に模式的かつ簡略的に示す図である。
【図３】本実施形態による吐出操作検出装置が備えるハードウェア構成の例を示す図である。
【図４】本実施形態による管理装置の機能構成例を示すブロック図である。
【図５】本実施形態の相関情報記憶部に記憶される相関情報の内容を模式的に示す図である。
【発明を実施するための形態】
【００１３】
以下、本発明の一実施形態を図面に基づいて説明する。図１は、本実施形態による手指衛生管理システムが備える各装置およびそれらの設置場所の一例を示す図である。なお、以下の実施形態では、手指衛生管理システムを適用する施設が病院であるものとして説明するが、介護施設など、手指衛生の励行が推奨される施設には何れにも適用することが可能である。
【００１４】
図１に示すように、本実施形態による手指衛生管理システムは、消毒液を吐出する消毒用ボトル１０（特許請求の範囲の消毒用容器に相当。図１では簡易的に「ボ」と表記している）に設けられた吐出操作検出装置１００と、医療従事者により携帯される無線送信装置２００と、病院内の各場所に設置される中継装置３００（図１では簡易的に「中」と表記している）と、中継装置３００に通信ネットワークを介して接続された管理装置４００とを備えて構成される。
【００１５】
図１に示すように、消毒用ボトル１０は、例えば病院内の各病室Ｒ１，Ｒ２，Ｒ３内に設置される。消毒用ボトル１０が設置される病室Ｒ１，Ｒ２，Ｒ３内の位置は、例えば出入口の近傍である。あるいは、病室内のベッド近傍の位置であってもよい。なお、消毒用ボトル１０が設置される位置は、各病室Ｒ１，Ｒ２，Ｒ３の出入口近傍で病室外（廊下ＣＲ）の位置であってもよい。
【００１６】
図１に示すように、消毒用ボトル１０は、ポンプ式のボトルであり、上部のノズルヘッドを下方に押下することにより、ポンプ機能によりボトル内の消毒液が一定量吐出されるようになっている。ここでいう一定量とは、ノズルヘッドを押下可能な最下部の位置まで押下した場合に、一定量の消毒液が吐出されるという意味である。ノズルヘッドが最下部に達する前に押下を中止すると、一定量より少ない消毒液が吐出される。手指衛生の実施に際しては、ノズルヘッドを最下部まで押下して一定量の消毒液を吐出することが推奨されている。
【００１７】
消毒用ボトル１０のノズルヘッドには、吐出操作検出装置１００が装着されている。吐出操作検出装置１００は、異なる消毒用ボトル１０にも装着して使うことができるように、消毒用ボトル１０に対して着脱可能に設けられる。吐出操作検出装置１００は、スイッチ（図２を用いて後述する）を備えており、消毒用ボトル１０に対する吐出操作（ノズルヘッドの押下操作）が行われたことを検出する。また、吐出操作検出装置１００は、距離検出センサ（図２を用いて後述する）を備えており、ノズルヘッドの押下量に応じた距離情報を検出する。
【００１８】
吐出操作検出装置１００は、無線送信回路を備えており、消毒用ボトル１０に対する吐出操作がスイッチにより検出されると、吐出操作が実行されたことを示す操作実行情報と、距離検出センサにより検出された距離に対応する距離情報とを、自身の識別情報である検出装置ＩＤと共に無線で送信する。検出装置ＩＤは、吐出操作検出装置１００に固有の識別情報であり、内部メモリにあらかじめ記憶されている。消毒用ボトル１０に装着された吐出操作検出装置１００から送信された操作実行情報、距離情報および検出装置ＩＤは、当該消毒用ボトル１０と同じスペース内に設置されている中継装置３００にて受信される。
【００１９】
医療従事者により携帯される無線送信装置２００は、医療従事者の識別情報である医療従事者ＩＤを所定のインターバルを置いて定期的に送信する。例えば、無線送信装置２００は、２００ミリ秒という微小時間間隔で医療従事者ＩＤを送信する。医療従事者ＩＤは、医療従事者に固有の識別情報であり、無線送信装置２００の内部メモリにあらかじめ記憶されている。無線送信装置２００により送信された医療従事者ＩＤは、医療従事者が存在している位置の周囲にある中継装置３００にて受信される。
【００２０】
中継装置３００は、消毒用ボトル１０と同じスペースである各病室Ｒ１，Ｒ２，Ｒ３内に設置されるほか、消毒用ボトル１０とは異なるスペースにも設置される。消毒用ボトル１０とは異なるスペースとは、各病室Ｒ１，Ｒ２，Ｒ３以外の場所を意味し、図１の例では廊下ＣＲである。
【００２１】
中継装置３００は、消毒用ボトル１０の吐出操作検出装置１００から操作実行情報、距離情報および検出装置ＩＤを受信するとともに、無線送信装置２００から医療従事者ＩＤを受信し、通信ネットワークを介して接続された管理装置４００に対して、受信した情報を自身の識別情報である中継装置ＩＤと共に送信する。中継装置ＩＤは、中継装置３００に固有の識別情報であり、内部メモリにあらかじめ記憶されている。
【００２２】
ここで、中継装置３００は、吐出操作検出装置１００から情報を受信する際の受信電波に基づいて、吐出操作検出装置１００の中継装置３００からの相対位置を特定する。例えば、中継装置３００は、ＡｏＡ（Angle of Arrival）方式により電波が到来する方向を検出する公知技術を用いて吐出操作検出装置１００の相対方向を特定するとともに、受信電波強度に基づいて電波発信源までの距離を検出する公知技術を用いて吐出操作検出装置１００までの相対距離を特定することにより、吐出操作検出装置１００の中継装置３００からの相対位置を特定する。そして、中継装置３００は、当該特定した吐出操作検出装置１００の相対位置情報を操作実行情報、距離情報、検出装置ＩＤおよび中継装置ＩＤと共に管理装置４００に送信する。
【００２３】
また、中継装置３００は、無線送信装置２００から医療従事者ＩＤを受信する際の受信電波に基づいて、上記と同様にして無線送信装置２００の相対位置を特定する。そして、中継装置３００は、当該特定した無線送信装置２００の相対位置情報を医療従事者ＩＤおよび中継装置ＩＤと共に管理装置４００に送信する。
【００２４】
管理装置４００は、中継装置３００から同じ中継装置ＩＤと共に所定の微小時間（２００ミリ秒）以内に受信される操作実行情報、距離情報、検出装置ＩＤ、医療従事者ＩＤ、吐出操作検出装置１００の相対位置情報および無線送信装置２００の相対位置情報に基づいて、消毒用ボトル１０を操作した医療従事者を特定した上で、医療従事者による手指衛生の実行状況に関する管理を行う。例えば、管理装置４００は、消毒用ボトル１０を操作して手指衛生を実行した医療従事者と、消毒用ボトル１０の操作による消毒液の吐出量とを関連付けて管理する。以下に、手指衛生を実行した医療従事者の特定について説明する。なお、消毒液の吐出量に関する管理については、図２〜図４を用いて後述する。
【００２５】
上述のように、無線送信装置２００は、医療従事者ＩＤを２００ミリ秒おきに常に送信している。そのため、中継装置３００は、吐出操作検出装置１００から操作実行情報、距離情報および検出装置ＩＤを受信したときに、それとほぼ同タイミング（多くとも２００ミリ秒以内の時間ずれの範囲内）で、無線送信装置２００から医療従事者ＩＤも受信することになる。これにより、管理装置４００では、吐出操作検出装置１００からの情報および無線送信装置２００からの情報（それぞれ中継装置３００で付加された情報を含む）を中継装置３００からほぼ同タイミングで受信することとなり、これらの情報から手指衛生を実行した医療従事者を特定することが可能である。
【００２６】
一方、中継装置３００が無線送信装置２００から医療従事者ＩＤを受信したにもかかわらず、それから所定の微小時間以内に吐出操作検出装置１００から操作実行情報、距離情報および検出装置ＩＤを受信しなかった場合は、管理装置４００では、所定の微小時間以内に無線送信装置２００からの情報（中継装置３００で付加された情報を含む）のみを中継装置３００から受信することとなる。よって、この場合に管理装置４００は、その微小時間以内のタイミングでは医療従事者が手指衛生を実行していないと判定することが可能である。
【００２７】
ここで、ある中継装置ＩＤと共に受信された操作実行情報および検出装置ＩＤに基づき検出された消毒用ボトル１０の操作の時点から所定の微小時間以内に、同じ中継装置ＩＤと共に受信された医療従事者ＩＤが１つの場合は、その中継装置ＩＤで示される中継装置３００の付近には医療従事者が１人しかいない状況に相当する。従って、この場合は、操作実行情報、検出装置ＩＤおよび医療従事者ＩＤの３つの情報があれば、消毒用ボトル１０を操作した医療従事者を一意に特定することが可能である。すなわち、検出装置ＩＤで示される吐出操作検出装置１００が装着された消毒用ボトル１０を、医療従事者ＩＤで示される医療従事者が操作したと判定することが可能である。
【００２８】
これに対し、ある中継装置ＩＤと共に受信された操作実行情報および検出装置ＩＤに基づき検出された消毒用ボトル１０の操作の時点から所定の微小時間以内に、同じ中継装置ＩＤと共に受信された医療従事者ＩＤが複数ある場合は、その中継装置ＩＤで示される中継装置３００の付近には複数人の医療従事者がいる状況に相当する。従って、この場合は、操作実行情報、検出装置ＩＤおよび医療従事者ＩＤの３つの情報だけでは、消毒用ボトル１０を操作した医療従事者を一意に特定することができない。
【００２９】
この場合に管理装置４００は、中継装置３００から同じ中継装置ＩＤと共に所定の微小時間以内に受信される操作実行情報、検出装置ＩＤ、医療従事者ＩＤ、吐出操作検出装置１００の相対位置情報および無線送信装置２００の相対位置情報に基づいて、消毒用ボトル１０を操作した医療従事者を特定する。すなわち、管理装置４００は、複数の医療従事者ＩＤと共に送信された無線送信装置２００の相対位置情報のそれぞれと、検出装置ＩＤと共に送信された吐出操作検出装置１００の相対位置情報とを用いて、消毒用ボトル１０から最も近くにいる医療従事者を特定する。そして、管理装置４００は、消毒用ボトル１０から最も近くにいる医療従事者を、消毒用ボトル１０を操作した医療従事者として特定する。
【００３０】
図２は、吐出操作検出装置１００の一構成例を、消毒用ボトル１０の一部と共に模式的かつ簡略的に示す図である。図３は、吐出操作検出装置１００が備えるハードウェア構成の例を示す図である。
【００３１】
図２に示すように、消毒用ボトル１０は、本体１０ａ、キャップ１０ｂ、ノズル筒１０ｃ、ノズルヘッド１０ｄおよびノズル１０ｅを有している。キャップ１０ｂは、消毒用ボトル１０の本体１０ａに螺合する態様で着脱可能に構成されている。そして、キャップ１０ｂに対してノズル筒１０ｃが上下方向に摺動可能に支持されており、ノズル筒１０ｃの先端にノズルヘッド１０ｄが設けられている。
【００３２】
図２に示すように、吐出操作検出装置１００は、消毒液の吐出操作（ノズルヘッド１０ｄの押下操作）が行われたことを検出するスイッチ１０１と、ノズルヘッド１０ｄとキャップ１０ｂとの距離を検出する距離検出センサ１０２とを備えている。また、図３に示すように、吐出操作検出装置１００は、スイッチ１０１および距離検出センサ１０２に対して電気的に接続されたマイコン１０３と、マイコン１０３に対して電気的に接続された無線送信回路１０４とを備えている（マイコン１０３および無線送信回路１０４は、図２では図示を省略している）。スイッチ１０１および距離検出センサ１０２とマイコン１０３との間は、例えばＩ２Ｃ通信インタフェースにより接続されている。
【００３３】
スイッチ１０１は、ノズルヘッド１０ｄの上部に設けられている。スイッチ１０１は押しボタンであり、医療従事者がノズルヘッド１０ｄを押下する際に押圧されてオン状態となり、ノズルヘッド１０ｄの押下操作が行われたことを検出する。マイコン１０３は、スイッチ１０１がオン状態となったことを検出すると、操作実行情報を生成する。
【００３４】
距離検出センサ１０２は、ノズルヘッド１０ｄの下部で、かつ、キャップ１０ｂと対向する位置に設けられており、ノズルヘッド１０ｄとキャップ１０ｂとの距離Ｄを検出する。厳密には、ノズルヘッド１０ｄに設けられた距離検出センサ１０２とキャップ１０ｂとの距離であるが、距離検出センサ１０２が薄いこと、ノズルヘッド１０ｄと距離検出センサ１０２との位置関係は固定で不変であることから、ノズルヘッド１０ｄとキャップ１０ｂとの距離として説明する。距離検出センサ１０２は、例えばＴｏＦ（Time of Flight）方式の距離センサであり、発光した光がキャップ１０ｂに反射して受光するまでの時間を測定し、これに光速を併せることでキャップ１０ｂまでの距離を検出する。
【００３５】
図２は、ノズルヘッド１０ｄが押下されていない状態（以下、初期状態という）を示している。この初期状態におけるノズルヘッド１０ｄとキャップ１０ｂとの距離を初期距離という。この初期状態からノズルヘッド１０ｄを上方から下方に向かって押下すると、ノズルヘッド１０ｄがキャップ１０ｂに近づいていき、ノズルヘッド１０ｄとキャップ１０ｂとの距離は短くなっていく。距離検出センサ１０２は、初期状態においてはスリープモードとなっており、スイッチ１０１がオンになると起動する。そして、起動した後に距離検出センサ１０２は、キャップ１０ｂとの距離を所定時間間隔ごとに連続して検出する。
【００３６】
なお、吐出操作検出装置１００をノズルヘッド１０ｄに装着するための具体的な構成は図示していないが、任意に設計することが可能である。例えば、ノズルヘッド１０ｄの形状に合わせて形成された貫通孔を有する筒状体として吐出操作検出装置１００を構成し、当該筒状体の上部にスイッチ１０１を設けるとともに、下部に距離検出センサ１０２を設ける構成とすることが可能である。この場合、吐出操作検出装置１００の貫通孔にノズル１０ｅを挿入し、吐出操作検出装置１００をノズルヘッド１０ｄの方向に移動させることによって装着する。
【００３７】
マイコン１０３は、スイッチ１０１がオン状態となったことを検出した場合、操作実行情報の他に、距離検出センサ１０２により検出された距離に対応する距離情報も生成する。すなわち、マイコン１０３は、吐出操作が行われていないときにおけるノズルヘッド１０ｄとキャップ１０ｂとの初期距離と、距離検出センサ１０２により逐次検出された距離との差分の最大値を算出し、当該最大値を、ノズルヘッド１０ｄの押下量を表す距離情報として生成する。
【００３８】
マイコン１０３は、スイッチ１０１の押下に応じて生成した操作実行情報と、距離検出センサ１０２により検出された距離に応じて生成したノズルヘッド１０ｄの押下量を表す距離情報と、図示しないメモリから読み出した検出装置ＩＤとを無線送信回路１０４に出力する。無線送信回路１０４は、マイコン１０３から入力した操作実行情報、距離情報および検出装置ＩＤを無線で送信する。このように、マイコン１０３および無線送信回路１０４は、特許請求の範囲の情報送信部に相当する。
【００３９】
図４は、管理装置４００の機能構成例を示すブロック図である。図４に示すように、管理装置４００は、記憶媒体として、相関情報記憶部４０１および手指衛生管理情報記憶部４０２を備えている。また、管理装置４００は、機能構成として、送信情報取得部４１、相関情報取得部４２および情報記録部４３を備えている。
【００４０】
上記各機能ブロック４１〜４３は、ハードウェア、ＤＳＰ（Digital Signal Processor）、ソフトウェアの何れによっても構成することが可能である。例えばソフトウェアによって構成する場合、上記各機能ブロック４１〜４３は、実際にはコンピュータのＣＰＵ、ＲＡＭ、ＲＯＭなどを備えて構成され、ＲＡＭやＲＯＭに記憶されたプログラムが動作することによって実現される。なお、当該プログラムは、ハードディスクや半導体メモリ等の他の記録媒体に記憶されていてもよい。
【００４１】
送信情報取得部４１は、中継装置３００から送信された情報を取得する。具体的には、送信情報取得部４１は、消毒用ボトル１０の吐出操作検出装置１００における吐出操作の検出時に吐出操作検出装置１００から送信された操作実行情報、距離情報および検出装置ＩＤと、中継装置３００にて付加された中継装置ＩＤおよび吐出操作検出装置１００の相対位置情報とを取得する。また、送信情報取得部４１は、医療従事者の無線送信装置２００から定期的に送信された医療従事者ＩＤと、中継装置３００にて付加された中継装置ＩＤおよび無線送信装置２００の相対位置情報とを取得する。
【００４２】
情報記録部４３は、送信情報取得部４１により逐次取得される情報のうち、同じ中継装置ＩＤと共に所定の微小時間以内に取得される操作実行情報、検出装置ＩＤ、医療従事者ＩＤ、吐出操作検出装置１００の相対位置情報および無線送信装置２００の相対位置情報に基づいて、消毒用ボトル１０を操作した医療従事者を特定する。そして、当該特定した医療従事者を手指衛生の実行者として、実行時刻、実行場所に関する情報と共に履歴情報のデータベースとして手指衛生管理情報記憶部４０２に記憶させる。このとき、情報記録部４３は、送信情報取得部４１による操作実行情報の取得時刻を手指衛生の実行時刻として用いるとともに、中継装置ＩＤに対応する中継装置３００の設置場所を手指衛生の実行場所として用いる。
【００４３】
また、情報記録部４３は、送信情報取得部４１により取得された距離情報に基づいて、消毒液の吐出の程度を示す吐出程度情報を特定し、当該吐出程度情報を手指衛生管理情報記憶部４０２における履歴情報のデータベースに併せて記録する。すなわち、情報記録部４３は、手指衛生を実行した医療従事者、手指衛生の実行時刻、実行場所、および消毒液の吐出程度情報をデータベースの１つのレコードに関連付けて記録する。吐出程度情報は、例えば消毒液の吐出量情報である。この吐出量情報を得るために、相関情報記憶部４０１および相関情報取得部４２を用いる。
【００４４】
相関情報記憶部４０１は、ノズルヘッド１０ｄの押下量を表す距離情報と消毒液の吐出量との相関関係を示した相関情報を記憶する。図５は、相関情報記憶部４０１に記憶される相関情報の内容を模式的に示す図である。図５において、横軸はノズルヘッド１０ｄの押下量（単位はミリメートル）、縦軸は消毒液の吐出量（単位はミリグラム）を示している。図５に示すように、ノズルヘッド１０ｄの押下量と消毒液の吐出量との間には線形的な相関関係がある。このような相関関係は、実際に使用する消毒用ボトル１０を用いた事前の実験により得ることが可能である。相関情報記憶部４０１は、図５に示すような相関関係を示す相関情報を、例えばテーブル情報の形式または相関関数式の形式で記憶する。
【００４５】
相関情報取得部４２は、相関情報記憶部４０１から相関情報を取得する。情報記録部４３は、送信情報取得部４１により取得された距離情報および相関情報取得部４２により取得された相関情報に基づいて、距離情報（ノズルヘッド１０ｄの押下量）に対応する消毒液の吐出量を特定する。そして、特定した消毒液の吐出量情報を手指衛生管理情報記憶部４０２における履歴情報のデータベースに記録する。
【００４６】
以上詳しく説明したように、本実施形態では、消毒用ボトル１０に対して着脱可能に設けられる吐出操作検出装置１００に対し、ノズルヘッド１０ｄとキャップ１０ｂとの距離を検出する距離検出センサ１０２を設け、スイッチ１０１により吐出操作が行われたことが検出された場合に、操作実行情報および距離検出センサ１０２により検出された距離に対応する距離情報（ノズルヘッド１０ｄの押下量を表す距離情報）を含む各種情報を送信するようにしている。
【００４７】
また、本実施形態では、管理装置４００において、吐出操作検出装置１００および無線送信装置２００より送信された各種情報を用いて医療従事者による手指衛生の実行状況に関する管理を行う。その際、管理装置４００は、距離情報に基づいて、消毒液の吐出の程度を示す吐出程度情報（吐出量情報）を特定し、当該吐出量情報を手指衛生管理情報記憶部４０２のデータベースに記録するようにしている。
【００４８】
このように構成した本実施形態によれば、医療従事者がノズルヘッド１０ｄを押下して消毒液を吐出すると、その押下量に応じて変化するノズルヘッド１０ｄとキャップ１０ｂとの距離が検出され、検出された距離に対応する距離情報が吐出操作検出装置１００から送信される。そして、送信された距離情報に基づいて管理装置４００において消毒液の吐出の程度を示す吐出量情報が特定され、データベースに記録して管理されることとなる。これにより、単にノズルヘッドの押圧値が押圧設定値に達したか否かを見ていただけの従来技術に比べ、医療従事者によって手指衛生が行われたときの消毒液の吐出の程度をより正確に把握することができるようになる。
【００４９】
なお、上記実施形態では、キャップ１０ｂと対向する位置に距離検出センサ１０２を設け、ノズルヘッド１０ｄとキャップ１０ｂとの距離を検出する例について説明したが、本発明はこれに限定されない。例えば、本体１０ａと対向する位置に距離検出センサ１０２を設け、ノズルヘッド１０ｄと本体１０ａとの距離を検出するようにしてもよい。
【００５０】
また、上記実施形態では、距離検出センサ１０２の他にスイッチ１０１を設ける構成について説明したが、本発明はこれに限定されない。例えば、スイッチ１０１は設けず、距離検出センサ１０２を常時起動しておき、距離検出センサ１０２の検出する距離が初期距離から変化したときに、ノズルヘッド１０ｄの押下操作が行われたことを検出するようにしてもよい。
【００５１】
また、上記実施形態では、吐出操作検出装置１００が備えるマイコン１０３において、距離検出センサ１０２により逐次検出された距離と初期距離との差分からノズルヘッド１０ｄの押下量を算出し、当該押下量を表す距離情報を吐出操作検出装置１００から送信する例について説明したが、本発明はこれに限定されない。例えば、距離検出センサ１０２により逐次検出された距離の最大値（距離検出センサ１０２により検出された距離に対応する距離情報に相当）を吐出操作検出装置１００から管理装置４００に送信し、管理装置４００においてノズルヘッド１０ｄの押下量を算出するようにしてもよい。
【００５２】
また、上記実施形態では、図５のような相関情報を用いて消毒液の吐出量を求め、当該吐出量を手指衛生管理情報記憶部４０２のデータベースに記録する例について説明したが、本発明はこれに限定されない。例えば、ノズルヘッド１０ｄの押下量をそのまま吐出程度情報としてデータベースに記録するようにしてもよい。あるいは、最大で押下できる最大押下量に対する実際の押下量の割合を算出して吐出程度情報としてもよい。
【００５３】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００５４】
１０  消毒用ボトル（消毒用容器）
１０ａ  本体
１０ｂ  キャップ
１０ｄ  ノズルヘッド
４１  送信情報取得部
４２  相関情報取得部
４３  情報記録部
１００  吐出操作検出装置
１０１  スイッチ
１０２  距離検出センサ
１０３  マイコン（情報送信部）
１０４  無線送信回路（情報送信部）
２００  無線送信装置
３００  中継装置
４００  管理装置
４０１  相関情報記憶部
４０２  手指衛生管理情報記憶部
【図１】
2020080910.tif 000003
【図２】
2020080910.tif 000004
【図３】
2020080910.tif 000005
【図４】
2020080910.tif 000006
【図５】
2020080910.tif 000007